(57)【特許請求の範囲】
【請求項１】
ランプ管のランプ軸に対して垂直方向に設けられた口金部からランプ軸方向に対して直交する方向へ突出して設けられた一対のランプピンを有するランプと、
前記ランプピンを保持して電力を供給する一対のソケットと、
前記ソケットが取付けられた照明器具本体と、を備えた照明装置であって、
前記ソケットまたは前記照明器具本体に、バネ性のある金属板を全体コ字状に折り曲げて形成され、前記ソケットまたは前記照明器具本体に取付けられるベースと、前記ベースに連接すると共に、前記口金部の両側面を挟んで前記口金部を保持するランプ落下防止片と、を有する落下防止部材を設け、
前記ランプ落下防止片には、前記ランプピンの挿入方向に１つのまたは段違いの、前記落下防止片を折り曲げて形成された防止片側凸部または防止片側凹部を設け、
前記口金部の一対の前記両側面には各々、前記防止片側凸部または防止片側凹部に対応する１つのまたは段違いの口金側凹部または口金側凸部を設け、
前記防止片側凸部または前記防止片側凹部と、前記口金側凹部または前記口金側凸部との合計個数が３以上であることを特徴とする照明装置。
【請求項２】
前記ランプ落下防止片は前記ソケットに設けられており、
前記防止片側凸部および前記防止片側凹部の一部と、前記口金側凹部および前記口金側凸部の一部とが相互に係止する状態において、前記口金部と前記ソケットとの嵌合面が当接していないランプ仮保持状態では、前記ランプピンと前記ソケットの導電部材とは接触していないことを特徴とする請求項１記載の照明装置。
【請求項３】
前記ランプ落下防止片は前記ランプ軸方向に複数対設けられており、
各ランプ落下防止片には前記防止片側凸部または前記防止片側凹部が各１つずつ設けられており、且つ、前記防止片側凸部および前記防止片側凹部が段違いに設けられていることを特徴とする請求項１または２記載の照明装置。
【請求項４】
前記口金部には、前記両側面に沿って前記ソケット側に突出する突起部が設けられており、
前記口金側凹部または前記口金側凸部は、前記突起部の前記両側面に１つ設けられるとともに、前記突起部以外の前記両側面に前記突起部と段違いに１つ設けられていることを特徴とする請求項１ないし請求項３のいずれかに記載の照明装置。
【発明の詳細な説明】
【技術分野】
【０００１】
本発明は、ランプ管のランプ軸に対して垂直方向に設けられた口金部からランプ軸方向に対して直交する方向へ突出するランプピンを有するランプと、ランプピンを保持して電力を供給するソケットを有する照明装置に関するものである。
【背景技術】
【０００２】
従来より、ランプ管の軸方向に対して直交する方向へ突出して設けられた一対のランプピンを有するランプと、このランプを保持して電力を供給するソケットを用いた照明装置が提案されている（例えば特許文献１参照）。
【０００３】
以下、図９により従来の照明装置について説明する。
図９に示すように、蛍光ランプ１００は、棒状のランプ管１０１の端部の周面である主発光面に口金部１０２が取り付けられている。すなわち、口金部１０２は、ランプ管１０１の軸方向に対して直交する方向へ突出して設けられている。口金部１０２は、主発光面に固着された口金部本体１０３と、口金部本体１０３にランプ軸に直交する方向（下方）に立設された２本のランプピン１０４、１０４を備える。口金部本体１０３のランプ軸と平行な左右両側面１０５、１０５には、ランプ軸と略平行に延びる係止用突出部１０６を有している。
【０００４】
蛍光ランプ１００が装着される照明器具本体側には、蛍光ランプ１００のランプピン１０４、１０４を介して電力を供給するソケット１０７と、蛍光ランプ１００の口金部１０２を保持する保持板１０８を有する。
【０００５】
ソケット１０７の上面には、ランプピン１０４を挿入する一対のランプピン用開口１０９、１０９が設けられており、開口１０９の内部には、ランプピン１０４を保持して電力の供給を行う導電板が設けられている。また、保持板１０８は、弾性を有する金属板を略コ字状に折り曲げて形成したものであり、上端（蛍光ランプ側端部）には、口金部１０２の係止用突出部１０６を保持する保持部１１０が形成されている。
【０００６】
従って、上述した蛍光ランプ１００をソケット１０７に取り付けるには、蛍光ランプ１００の係止用突出部１０６を、一対のランプピン１０４をソケット１０７のランプピン用開口１０９に挿入して導電板に接触させるとともに、ソケット１０７の保持板１０８により口金部１０２を保持する。
また、蛍光ランプ１００を逆方向に引き抜くことにより、蛍光ランプ１００を取り外すことができる。
【先行技術文献】
【特許文献】
【０００７】
【特許文献１】特開２００４−３２７３７６号公報（第１図）
【発明の概要】
【発明が解決しようとする課題】
【０００８】
しかしながら、前述したような従来の照明装置においては、保持板１０８の保持部１１０によって口金部１０２の係止用突出部１０６を係止して落下を防止しているが、照明装置が振動して保持部１１０が係止用突出部１０６を乗り越えた場合や、蛍光ランプ１００の装着が不十分であった場合等に対しては、蛍光ランプ１００の落下防止が不十分であるという問題があった。
【０００９】
本発明は、従来の問題を解決するためになされたもので、蛍光ランプの落下防止を確実にして安全性を向上させることができる照明装置を提供することを目的とする。
【課題を解決するための手段】
【００１０】
本発明の照明装置は、ランプ管のランプ軸に対して垂直方向に設けられた口金部からランプ軸方向に対して直交する方向へ突出して設けられた一対のランプピンを有するランプと、前記ランプピンを保持して電力を供給する一対のソケットと、前記ソケットが取付けられた照明器具本体と、を備えた照明装置であって、前記ソケットまたは前記照明器具本体に、バネ性のある金属板を全体コ字状に折り曲げて形成され、前記ソケットまたは前記照明器具本体に取付けられるベースと、前記ベースに連接すると共に、前記口金部の両側面を挟んで前記口金部を保持するランプ落下防止片と、を有する落下防止部材を設け、前記ランプ落下防止片には、前記ランプピンの挿入方向に１つのまたは段違いの、前記落下防止片を折り曲げて形成された防止片側凸部または防止片側凹部を設け、前記口金部の一対の前記両側面には各々、前記防止片側凸部または防止片側凹部に対応する１つのまたは段違いの口金側凹部または口金側凸部を設け、前記防止片側凸部または前記防止片側凹部と、前記口金側凹部または前記口金側凸部との合計個数が３以上である構成を有している。
【００１１】
この構成により、ランプ管のランプ軸に対して垂直方向に設けられた口金部に、同じく垂直方向に一対のランプピンを設け、このランプピンをソケットに挿入して、ランプを照明器具本体に装着する。ランプ装着状態では、ソケットまたは照明器具本体に設けられているランプ落下防止片に設けられている防止片側凸部または防止片側凹部が、口金部の対向する一対の両側面に各々設けられている口金側凸部または口金側凹部を係止するので、ランプの落下を防止する。このとき、防止片側凸部および防止片側凹部はランプピンの挿入方向に段違いで設けられ、口金側凹部および口金側凸部は防止片側凸部および防止片側凹部に対応して段違いに設けられており、防止片側凸部、防止片側凹部、口金側凹部および口金側凸部の合計個数が３以上となっている。このため、ランプ落下防止片は、ランプピンの挿入方向に段違いでソケットを係止するので、万が一、装着状態からランプが脱落しても、直ちにランプが落下するのを防止することができる。
また、別途部品を追加することなく、同一部材で２重の安全構造を設けることができるので、コストアップを低減できる。
【００１２】
なお、凸部とは係止する相手側に突出している形状を言い、凹部とは係止する相手から遠ざかる側に突出している形状を言うことができる。従って、口金側では外側（すなわち、ランプ落下防止片側）へ突出するものを凸部といい、防止片側では内側（すなわち、ソケット側）に突出するものを凸部ということができる。
【００１３】
また、本発明の照明装置は、前記ランプ落下防止片は前記ソケットに設けられており、前記防止片側凸部および前記防止片側凹部の一部と、前記口金側凹部および前記口金側凸部の一部とが相互に係止する状態において、前記口金部と前記ソケットとの嵌合面が当接していないランプ仮保持状態では、前記ランプピンと前記ソケットの導電部材とは接触していない構成を有している。
【００１４】
この構成により、口金部とソケットとの嵌合面が当接していないランプ仮保持状態では、防止片側凸部および防止片側凹部の一部と、口金側凹部および口金側凸部の一部とが相互に係止して、ランプの脱落を防止する。この状態では、ランプピンとソケットの導電部材とは接触していないのでランプは点灯せず、装着の異常を容易に認識できる。また、ランプ落下防止片がソケットに設けられているので、電気的接続位置に近い箇所でランプを保持することができ、ランプピンと導電部材との導通を確実に保つことができる。さらに、ランプ落下防止片がソケットに設けられているので、ソケットを器具本体に取付けることにより、一度にランプ落下防止片とソケットとを取付けることができるので、組み立て工数を削減できる。
【００１５】
また、本発明の照明装置は、前記ランプ落下防止片は前記ランプ軸方向に複数対設けられており、各ランプ落下防止片には前記防止片側凸部または前記防止片側凹部が各１つずつ設けられており、且つ、前記防止片側凸部および前記防止片側凹部が段違いに設けられた構成を有している。
【００１６】
この構成により、ランプ落下防止片はランプ軸方向に複数対設けられているので、ランプの動きに追従しやすく、各々に機能を分けて設計することができる。また、一部のランプ落下防止片が破損しても、他の部分でランプの落下を防止できるので、安全性を向上することができる。
【００１７】
さらに、本発明の照明装置は、前記口金部には、前記両側面に沿って前記ソケット側に突出する突起部が設けられており、前記口金側凹部または前記口金側凸部は、前記突起部の前記両側面に１つ設けられるとともに、前記突起部以外の前記両側面に前記突起部と段違いに１つ設けられた構成を有している。
【００１８】
この構成により、口金部にソケット側に突出する突起部を設けて、突起部に口金側凹部または口金側凸部を段違いに設けたので、ランプピンを設ける位置の口金部を薄く形成することができ、照明装置の薄型化を図ることができる。
【発明の効果】
【００１９】
本発明は、ランプ装着状態では、ソケットまたは照明器具本体に設けられているランプ落下防止片に設けられている防止片側凸部または防止片側凹部が、口金部の対向する一対の両側面に各々設けられている口金側凸部または口金側凹部を係止するので、ランプの落下を防止する。このとき、防止片側凸部および防止片側凹部はランプピンの挿入方向に段違いで設けられ、口金側凹部および口金側凸部は防止片側凸部および防止片側凹部に対応して段違いに設けられており、防止片側凸部、防止片側凹部、口金側凹部および口金側凸部の合計個数が３以上となっている。このため、ランプ落下防止片は、ランプピンの挿入方向に段違いでソケットを係止するので、万が一、装着状態からランプが脱落しても、直ちにランプが落下するのを防止することができ、安全性を向上するという効果を有する照明装置を提供できる。
【図面の簡単な説明】
【００２０】
【図１】本発明に係る第１実施形態の照明装置を示す分解斜視図
【図２】（Ａ）はランプ装着状態におけるランプ端部の側面図、（Ｂ）は（Ａ）中Ｂ方向から見た端面図、（Ｃ）は（Ａ）中Ｃ―Ｃ位置の断面図
【図３】（Ａ）はランプ仮保持状態におけるランプ端部の側面図、（Ｂ）は（Ａ）中Ｂ方向から見た端面図、（Ｃ）は（Ａ）中Ｃ―Ｃ位置の断面図
【図４】（Ａ）は第２実施形態に係る照明装置のランプ装着状態におけるランプ端部の側面図、（Ｂ）は（Ａ）中Ｂ方向から見た端面図、（Ｃ）は（Ａ）中Ｃ―Ｃ位置の断面図
【図５】（Ａ）は第２実施形態に係る照明装置のランプ仮保持状態におけるランプ端部の側面図、（Ｂ）は（Ａ）中Ｂ方向から見た端面図、（Ｃ）は（Ａ）中Ｃ―Ｃ位置の断面図
【図６】本発明に係る第３実施形態の照明装置を示す分解斜視図
【図７】（Ａ）はランプ装着状態におけるランプ端部の側面図、（Ｂ）は（Ａ）中Ｂ方向から見た端面図、（Ｃ）は（Ａ）中Ｃ―Ｃ位置の断面図
【図８】（Ａ）はランプ仮保持状態におけるランプ端部の側面図、（Ｂ）は（Ａ）中Ｂ方向から見た端面図、（Ｃ）は（Ａ）中Ｃ―Ｃ位置の断面図
【図９】従来の照明装置の分解斜視図
【発明を実施するための形態】
【００２１】
（第１実施形態）
以下、本発明の第１実施形態の照明装置について、図面を用いて説明する。
図１に示すように、本発明に係る第１実施形態の照明装置１０は、被取付部である天井や壁面に取付けられる照明器具本体１１と、光源であるランプ２０と、ランプ２０を照明器具本体１１に取付けて電力を供給するためのソケット３０を有する。また、ソケット３０または照明器具本体１１には、ランプ２０を挟んで保持するランプ落下防止部材４０が設けられている。
【００２２】
ランプ２０は例えば直管のランプ管２１を有しており、ランプ管２１のランプ軸Ｌ１方向両端部表面に、ランプ軸Ｌ１に対して垂直方向（図１において上方）に口金部２２が設けられている。口金部２２は全体矩形箱状をしており、ここでは全体Ｌ字形状を呈している。口金部２２のＬ字形上の低い部分（図１において右側部分）の上面（嵌合面）２２１には、ランプ軸Ｌ１に対して直交する方向（すなわち、口金部２２の突出方向）へ一対のランプピン２３、２３が突出して設けられている。また、口金部２２の対向する一対の両側面である左右両側面２２２には、ランプ軸Ｌ１と平行に、口金側凸部２２３が外側に突出して設けられている。
【００２３】
ソケット３０は全体逆コ字形の上側が開口した箱状部材であるボディ３１を有しており、逆コ字形の凹部３１１に口金部２２の突出部２２３が位置する。ボディ３１において、口金部２２の嵌合面である上面２２１に対向する嵌合面である下面３１２には、一対のランプピン２３、２３が挿入可能な一対の開口（図示省略）が設けられている。
【００２４】
各開口の内部には、ランプピン２３を保持して導通し、電力を供給するための導電部材３２が各々設けられている。導電部材３２には、接続端子３４が一体的に設けられており、接続端子３４は、ボディ３１に設けられている電線接続用の開口３１３に連続している。従って、ボディ３１の開口３１３から電線を挿入して接続端子３４に接続することにより、導電部材３２は商用電源に接続されることになる。なお、ボディ３１の上部開口には、ソケットカバー３３が取付けられる。
【００２５】
ソケット３０には、ランプ落下防止部材４０が設けられている。ランプ落下防止部材４０は、バネ性のある金属板を全体コ字状に折り曲げて形成されており、ソケット３０に取付けられるベース４１と、ベース４１の左右両側に設けられるランプ落下防止片４２、４２を有する。ランプ落下防止片４２の先端部（下端部）には、ランプピン２３の挿入方向に、２段の防止片側凸部４２１、４２２が段違いに設けられている。
従って、防止片側凸部４２１、４２２、防止片側凹部、口金側凹部および口金側凸部２２３の合計個数が３組となる。
【００２６】
なお、以下において、凸部とは、係止する相手側に突出している形状を言い、凹部とは係止する相手から遠ざかる側に凹んでいる形状を言うこととする。
従って、口金側凸部２２３とは、口金部２２に設けられ、係止相手であるランプ落下防止片４２側（すなわち、外側）へ突出するものをいい、口金側凹部とは、内側に凹んだ形状を言う。また、防止片側凸部４２１、４２２とは、ランプ落下防止片４２に設けられ、係止相手であるソケット３０側（すなわち、内側）に突出するものをいい、防止片側凹部とは、外側に凹んだ形状をいう。
【００２７】
図２に示すように、ランプピン２３が、ソケット３０のボディ３１に収容されている導電部材３２に保持されている（図２（Ｃ）参照）装着状態では、口金部２２の側面２２２の口金側凸部２２３が、上の段の防止片側凸部４２１に係止されている。これにより、ランプ２０は、ランプピン２３が導電部材３２に導通した状態で保持されるので、点灯可能となる。
【００２８】
また、図３に示すように、ランプピン２３が、導電部材３２から脱落している仮保持状態（図３（Ｃ）参照、不完全装着状態）では、口金部２２の側面２２２の口金側凸部２２３が、下の段の防止片側凸部４２２に係止されている。これにより、ランプ２０は、ランプピン２３が導電部材３２から離脱した状態で保持されるので、点灯しない。
【００２９】
以上、説明した第１実施形態の照明装置１０によれば、ランプ管２１のランプ軸Ｌ１に対して垂直方向に設けられた口金部２２に、同じく垂直方向に一対のランプピン２３を設け、このランプピン２３をソケット３０に挿入して、ランプ２０を照明器具本体１１に装着する。ランプ装着状態では、ソケット３０のランプ落下防止片４２に設けられている防止片側凸部４２１、４２２が、口金部２２の対向する一対の両側面２２２に各々設けられている口金側凸部２２３を係止するので、ランプ２０の落下を防止する。
【００３０】
このとき、防止片側凸部４２１、４２２はランプピン２３の挿入方向に段違いで設けられており、防止片側凸部４２１、４２２および口金側凸部２２３の合計個数が３組となっている。このため、ランプ落下防止片４２は、ランプピン２３の挿入方向に段違いでソケット３０を係止可能なので、万が一、装着状態からランプ２０が脱落しても、直ちにランプ２０が落下するのを防止することができる。
【００３１】
また、同じランプ落下防止片４２に多段で防止片側凸部４２１、４２２を設けたので、別途部品を追加することなく、同一部材で２重の安全構造を設けることができ、コストを低減できる。
【００３２】
また、口金部２２とソケット３０との嵌合面２２１、３１２が当接していないランプ仮保持状態では、下側の防止片側凸部４２２と、口金側凸部２２３とが相互に係止して、ランプ２０の脱落を防止する。この状態では、ランプピン２３とソケット３０の導電部材３２とは接触していないのでランプ２０は点灯せず、装着の異常を容易に認識できる。
【００３３】
また、ランプ落下防止片４２がソケット３０に設けられているので、電気的接続位置に近い箇所でランプ２０を保持することができ、ランプピン２３と導電部材３２との導通を確実に保つことができる。
【００３４】
さらに、ランプ落下防止片４２を、予めソケット３０に取付けることにより、ソケット３０を器具本体１１に取付けるだけで、ランプ落下防止部材４０とソケット３０とを一度に取付けることができるので、組み立て工数を削減できる。
【００３５】
（第２実施形態）
次に、本発明に係る第２実施形態の照明装置について、図面を用いて説明する。
なお、前述した第１実施形態の照明装置と共通する部位には同じ符号を付して、重複する説明を省略することとする。
【００３６】
図４および図５に示すように、第２実施形態に係る照明装置１０Ｂでは、ランプ落下防止部材４０Ｂに、ランプ軸Ｌ１（図１参照）方向に複数対のランプ落下防止片４３、４４を設けた。そして、各ランプ落下防止片４３、４４には防止片側凸部４３１、４４１を各１つずつ設け、且つ、各防止片側凸部４３１、４４１をランプピン２３挿入方向（すなわち、上下方向）に段違いに設けた。ここでは、内側のランプ落下防止片４３の防止片側凸部４３１をランプピン２３挿入方向上側に設け、外側のランプ落下防止片４４の防止片側凸部４４１を下側に設けた。
また、口金部２２Ｂの両側面２２２には、上下２段の口金側凸部２２３、２２４を段違いに設けた。
従って、防止片側凸部４３１、４４１および口金側凸部２２３、２２４の合計個数が４組となる。
【００３７】
図４に示すように、ランプピン２３が、ソケット３０のボディ３１に収容されている導電部材３２に保持されている（図４（Ｃ）参照）装着状態では、口金部２２Ｂの側面２２２の上の段の口金側凸部２２３が、上の段にあるランプ落下防止片４３の防止片側凸部４３１に係止されている。同時に、口金部２２Ｂの側面２２２の下の段の口金側凸部２２４が、下の段にあるランプ落下防止片４４の防止片側凸部４４１に係止されている。これにより、ランプ２０は、ランプピン２３が導電部材３２に導通した状態で、２段で保持されるので、点灯可能状態で確実に保持される。
【００３８】
また、図５に示すように、ランプピン２３が、導電部材３２から脱落している（図５（Ｃ）参照）仮保持状態（不完全装着状態）では、口金部２２Ｂの側面２２２の上の段の口金側凸部２２３が、下の段に位置するランプ落下防止片４４の防止片側凸部４４１に係止されている。そして、下の段の口金側凸部２２４および上の段に位置するランプ落下防止片４３の防止片側凸部４３１はフリーとなる。これにより、ランプ２０は、ランプピン２３が導電部材３２から離脱した状態で保持されるので、点灯しない。
【００３９】
以上、説明した第２実施形態に係る照明装置１０Ｂによれば、第１実施形態において示した効果に加えて、ランプ落下防止片４３、４４はランプ軸Ｌ１方向に複数対（ここでは、例えば２対）設けられているので、ランプ２０の動きに追従しやすく、各々に機能を分けて設計することができる。
また、一部のランプ落下防止片４３、４４が破損しても、他の部分でランプ２０の落下を防止できるので、安全性を向上することができる。
【００４０】
（第３実施形態）
次に、本発明に係る第３実施形態の照明装置について、図面を用いて説明する。
なお、前述した第１実施形態および第２実施形態の照明装置と共通する部位には同じ符号を付して、重複する説明を省略することとする。
【００４１】
図６〜図８に示すように、第３実施形態に係る照明装置１０Ｃでは、口金部２２Ｃに、両側面２２２に沿ってソケット３０側に突出する突起部２４が設けられており、突起部２４の両側面２４２に、口金側凸部２４１が１段設けられている。また、突起部２４以外の両側面２２２には、突起部２４の口金側凸部２４１と段違いに、口金側凸部２２３が１段設けられている。
【００４２】
ランプ落下防止部材４０は、ランプ軸Ｌ１方向に３対のランプ落下防止片４５、４６、４７を有し、各々防止片側凸部４５１、４６１、４７１が１つずつ設けられている。ランプ軸Ｌ１方向において、防止片側凸部４５１、４６１は、口金側凸部２２３に対応し、防止片側凸部４７１は突起部２４の口金側凸部２４１に対応する。また、ランプ軸Ｌ１に直交する上下方向位置において、防止片側凸部４７１は防止片側凸部４５１、４６１よりも上方に段違いで配置されている。
【００４３】
従って、防止片側凸部４５１、４６１、４７１および口金側凸部２２３、２４１の合計個数が５組となるが、後述するように、防止片側凸部４５１、４６１は同一に作用するので、実質的には４組となる。
【００４４】
図７に示すように、ランプピン２３が、ソケット３０のボディ３１に収容されている導電部材３２に保持されている（図７（Ｃ）参照）装着状態では、口金部２２Ｃの側面２２２の口金側凸部２２３が、防止片側凸部４５１、４６１に係止されている。このとき、口金部２２Ｃの突起部２４に対応する防止片側凸部４７１はフリーである。これにより、ランプ２０は、ランプピン２３が導電部材３２に導通した状態で、２箇所で保持されるので、点灯可能状態で確実に保持される。
【００４５】
また、図８に示すように、ランプピン２３が、導電部材３２から脱落している（図８（Ｃ）参照）仮保持状態（不完全装着状態）では、防止片側凸部４７１が口金部２２Ｃの突起部２４の口金側凸部２４１を係止する。このとき、防止片側凸部４５１、４６１は、口金側凸部２２３を乗り越えてフリーとなっている。これにより、ランプ２０は、ランプピン２３が導電部材３２から離脱した状態で保持されるので、点灯しない。
【００４６】
以上、説明した第３実施形態に係る照明装置１０Ｃによれば、第１実施形態および第２実施形態において示した効果に加えて、口金部２２Ｃに、ソケット３０側に突出する突起部２４を設けて口金側凸部２４１を段違いに設けたので、ランプピン２３を設ける位置の口金部２２Ｃを薄く形成することができ、照明装置１０Ｃの薄型化を図ることができる。
【００４７】
なお、本発明の照明装置は、前述した各実施形態に限定されるものでなく、適宜な変形，改良等が可能である。
例えば、前述した第１実施形態を例に説明すると、口金部２２の両側面２２２、２２２に口金側凸部２２３を設け、ランプ落下防止片４２に防止片側凸部４２１、４２２を設けて、凸部同士が係止する場合を例示したが、これに代わって、いずれか一方に口金側凹部または防止片側凹部を設けて、凸部と凹部とが相互に係止するようにすることもできる。
また、ランプ落下防止部材４０をソケット３０に取付けた場合を示したが、ランプ落下防止部材４０を照明器具本体１１に取付けることも可能である。
【符号の説明】
【００４８】
１０  照明装置
１１  照明器具本体
２０  ランプ
２１  ランプ管
２２  口金部
２２１  上面（嵌合面）
２２２  両側面
２２３、２２４  口金側凸部
２３  ランプピン
２４  突起部
２４１  口金側凸部
３０  ソケット
３１２  下面（嵌合面）
３２  導電部材
４２〜４７  ランプ落下防止片
４２１、４２２、４３１、４４１、４５１、４６１、４７１  防止片側凸部
Ｌ１  ランプ軸
【図１】
0005429973.tif 000002
【図２】
0005429973.tif 000003
【図３】
0005429973.tif 000004
【図４】
0005429973.tif 000005
【図５】
0005429973.tif 000006
【図６】
0005429973.tif 000007
【図７】
0005429973.tif 000008
【図８】
0005429973.tif 000009
【図９】
0005429973.tif 000010